(57)【特許請求の範囲】
【請求項１】
弾接部を形成した弾接体と、
回転軸を中心に回転すると共に、前記弾接体の弾接部に弾接することで回転トルクを付与する弾接面を設けた回転体と、
前記回転体と一体に回転することで出力信号を変化させる検出手段と、
前記回転軸を中心に回動可能であって、回動位置に応じて前記弾接部の位置を変更させるトルク切替体と、
前記弾接体と一体に上下動する作動部材とを具備し、
前記弾接部と前記弾接面は、前記回転軸に交差する平面で弾接し、
前記トルク切替体には、このトルク切替体を回転した際に、前記作動部材に設けた当接部に干渉してこの作動部材及び前記弾接体を上下動させて、前記弾接面と前記弾接部間の弾接状態を変更させる当接部挿通部を設け、
前記トルク切替体を回動することで、前記弾接部が移動し、前記弾接面と前記弾接部間の弾接状態を変更することを特徴とする回転式電子部品。
【請求項２】
請求項１に記載の回転式電子部品であって、
前記回転体は、回転つまみと、前記検出手段を取り付ける回転部材と、前記回転つまみと回転部材間を接続する軸とを有し、
前記回転つまみと回転部材間に、前記トルク切替体と前記作動部材とを設置し、
前記トルク切替体の当接部挿通部は、前記作動部材の突起状の当接部を挿入する開口部であり、
前記トルク切替体を回動することで、このトルク切替体の開口部の外周辺部分が前記作動部材の当接部に干渉して作動部材を上下動させることを特徴とする回転式電子部品。
【発明の詳細な説明】
【技術分野】
【０００１】
本発明は、回転トルクの強弱を選択することができる回転式電子部品に関するものである。
【背景技術】
【０００２】
従来、携帯機器（例えばデジタルカメラ）等に使用する回転式電子部品において、回転つまみを回転操作する際の回転トルク（回転抵抗又は動作力）を、板バネ等を用いて積極的に付与する構造の回転式電子部品があった（例えば特許文献１参照）。
【０００３】
一方従来、上記回転式電子部品の回転操作において、操作感触の違いを出すために、強い動作力が必要な回転式電子部品と、弱い動作力で回転できる回転式電子部品の両方が求められる場合があった。
【先行技術文献】
【特許文献】
【０００４】
【特許文献１】特開２００９−１５２１１７号公報
【発明の概要】
【発明が解決しようとする課題】
【０００５】
しかしながら、強い動作力が必要なものと弱い動作力で回転できるものの両者が求められた場合、従来は２種類の回転式電子部品を用意しなければならず、コストが増大し、またこれら回転式電子部品を装着する機器が大型化してしまうという問題があった。
【０００６】
本発明は上述の点に鑑みてなされたものでありその目的は、簡単な操作によって、回転体回転時の回転トルク（動作力）の強弱を変更することができる回転式電子部品を提供することにある。
【課題を解決するための手段】
【０００７】
本発明は、弾接部を形成した弾接体と、回転軸を中心に回転すると共に、前記弾接体の弾接部に弾接することで回転トルクを付与する弾接面を設けた回転体と、前記回転体と一体に回転することで出力信号を変化させる検出手段と、前記回転軸を中心に回動可能であって、回動位置に応じて前記弾接部の位置を変更させるトルク切替体と、前記弾接体と一体に上下動する作動部材とを具備し、前記弾接部と前記弾接面は、前記回転軸に交差する平面で弾接し、前記トルク切替体には、このトルク切替体を回転した際に、前記作動部材に設けた当接部に干渉してこの作動部材及び前記弾接体を上下動させて、前記弾接面と前記弾接部間の弾接状態を変更させる当接部挿通部を設け、前記トルク切替体を回動することで、前記弾接部が移動し、前記弾接面と前記弾接部間の弾接状態を変更することを特徴としている。
トルク切替体を回動するだけで、回転体を回転する際の回転トルクの強弱を容易に変更することができる。
【０００９】
また、作動部材に設けた当接部と、トルク切替体に設けた当接部挿通部とを用いることで、トルク切替体による弾接体の上下動をスムーズに行わせることが可能になる。
【００１０】
また本発明は、前記回転体が、回転つまみと、前記検出手段を取り付ける回転部材と、前記回転つまみと回転部材間を接続する軸とを有し、前記回転つまみと回転部材間に、前記トルク切替体と前記作動部材とを設置し、前記トルク切替体の当接部挿通部は、前記作動部材の突起状の当接部を挿入する開口部であり、前記トルク切替体を回動することで、このトルク切替体の開口部の外周辺部分が前記作動部材の当接部に干渉して作動部材を上下動させることを特徴としている。
トルク切替体に設けた開口部に、作動部材に設けた突起状の当接部を挿入することで、トルク切替体の回動動作を作動部材の上下動動作にスムーズに変換することができる。
【発明の効果】
【００１１】
本発明によれば、トルク切替体を回動するという簡単な操作によって、回転体回転時の回転トルクの強弱を容易に変更することができる。
【図面の簡単な説明】
【００１２】
【図１】回転式電子部品１の斜視図である。
【図２】回転トルクを小（クリック有り）としたときの回転式電子部品１の概略断面図である。
【図３】回転体（回転つまみ）３００と押釦つまみ２８０と回転体（軸付き回転体）２５０とを分離して示す回転式電子部品１の分解斜視図である。
【図４】回転つまみ３００と押釦つまみ２８０と軸付き回転体２５０とを分離して下側から見た回転式電子部品１の分解斜視図である。
【図５】回転つまみ３００と押釦つまみ２８０と軸付き回転体２５０とを除く回転式電子部品１の分解斜視図である。
【図６】回転つまみ３００と押釦つまみ２８０と軸付き回転体２５０とを除く回転式電子部品１を下側から見た分解斜視図である。
【図７】回転トルクを大（クリック無し）としたときの回転式電子部品１の概略断面図である。
【図８】クリック有りのときの各部材の位置関係を示す概略展開断面図である。
【図９】クリック無しのときの各部材の位置関係を示す概略展開断面図である。
【発明を実施するための形態】
【００１３】
以下、本発明の実施形態を図面を参照して詳細に説明する。図１は本発明の１実施形態に係る回転式電子部品（以下「回転式スイッチ」というが、「押圧式スイッチ付き回転式スイッチ」や、トルク切替型回転式電子部品」でもある）１の斜視図、図２は回転式スイッチ１の概略断面図（図１のＡ−Ａ概略断面図）、図３は回転体（以下「回転つまみ」という）３００と押釦つまみ２８０と回転体（以下「（軸付き回転体）という）２５０とを分離して示す回転式電子部品１の分解斜視図、図４は回転つまみ３００と押釦つまみ２８０と軸付き回転体２５０とを分離して下側から見た回転式電子部品１の分解斜視図、図５は回転つまみ３００と押釦つまみ２８０と軸付き回転体２５０とを除く回転式電子部品１の分解斜視図、図６は回転つまみ３００と押釦つまみ２８０と軸付き回転体２５０とを除く回転式電子部品１を下側から見た分解斜視図である。これらの図に示すように、回転式スイッチ１は、取付板１０上に、回路基板（以下「第１フレキシブル回路基板」という）２０と、支持台４０と、回路基板（以下「第２フレキシブル回路基板」という）５０と、摺動子６０と、回転体（以下「回転部材」という）７０と、回転体（以下「補強板」という）９０と、切替体取付部材１００と、弾接体（以下「弾接バネ」という）１２０と、ケース１３０と、弾発部材１６０と、作動部材１７０と、クリック用ボール２００と、クリック用コイルバネ２１０と、トルク切替体（以下「トルク切替レバー」という）２２０と、軸付き回転体２５０と、押釦つまみ２８０と、回転つまみ３００とを設置して構成されている。なお以下の説明において、「上」とは弾接バネ１２０からトルク切替レバー２２０を見る方向をいい、「下」とはその反対方向をいうものとする。また真上、真下方向は、回転体（回転つまみ３００及び軸付き回転体２５０及び補強板９０及び回転部材７０）の回転軸Ｌ１方向と一致するものとする。
【００１４】
取付板１０は硬質板（この実施形態ではステンレス板であるが、他の金属板又は樹脂板等であっても良い）の所定位置（４隅の４か所）に貫通する小孔からなる取付部１１を設けて構成されている。
【００１５】
第１フレキシブル回路基板２０は、可撓性を有する合成樹脂フィルムを２枚重ね合わせ、対向する中央位置に所定の隙間を介して図示しないスイッチ接点パターンを形成していわゆるメンブレンスイッチ（以下「押圧スイッチ」という）２１を形成し、この押圧スイッチ２１の上側のフィルム上に反転板２３を取り付けて構成されている。第１フレキシブル回路基板２０の所定位置（４隅の４か所、前記取付板１０の各取付部１１に対向する位置）には貫通する小孔からなる取付部２５が形成されている。
【００１６】
支持台４０は合成樹脂の成形品であり、中央に下記する押釦つまみ２８０の軸部２８３を挿通する円形の挿通孔４１を設け、またその所定位置（４隅の４か所、前記取付板１０の各取付部１１に対向する位置）に貫通する小孔からなる取付部４３を形成して構成されている。支持台４０の下面中央には、前記反転板２３を収納する凹部４５が形成されている。
【００１７】
第２フレキシブル回路基板５０は可撓性を有する合成樹脂フィルムの中央に下記する押釦つまみ２８０の軸部２８３を挿通する円形の挿通孔５１を設け、またその上面の挿通孔５１の周囲にリング状に摺接パターン５３を形成し、さらにその所定位置（４隅の４か所、前記取付板１０の各取付部１１に対向する位置）に貫通する小孔からなる取付部５５を形成して構成されている。摺接パターン５３は、下記する摺動子６０と共に、出力信号を変化させる検出手段を構成し、この例ではスイッチパターンとなっている。
【００１８】
摺動子６０は弾性金属板をリング状に形成して構成されており、中央に円形の貫通孔からなる開口部６１を設け、また等間隔に設けた３つの基部６３からそれぞれ円弧状に３組の摺動冊子６５を突出して構成されている。各摺動冊子６５の先端には弾接部６７が設けられている。また各基部６３にはそれぞれ小孔からなる固定部６９が設けられている。
【００１９】
回転部材７０は合成樹脂を略円板状に成形して構成されており、その中央に下記する押釦つまみ２８０の軸部２８３を挿通する円形の上下に貫通する挿通部７１を設け、また挿通部７１の周囲の同一円周上に３つの円弧状の上下に貫通する取付孔７３を設け、一方回転部材７０の下面の前記摺動子６０の各固定部６９に対向する位置にこれら固定部６９に挿入される小突起状の摺動子取付部７５を設けて構成されている。
【００２０】
補強板９０は硬質板（この実施形態ではステンレス板であるが、他の金属板または樹脂板等であっても良い）を略円板状に形成して構成されており、中央に下記する押釦つまみ２８０の軸部２８３を挿通する円形の挿通孔９１を設け、また挿通孔９１の周囲の同一円周上に３つの円弧状の上下に貫通する取付孔９３を設けて構成されている。補強板９０の上面は、下記する弾接バネ１２０の弾接部１２７が弾接する弾接面９５となっている（なおこの補強板９０を省略する場合は、回転部材７０の上面が弾接面となる）。
【００２１】
切替体取付部材１００は合成樹脂をリング状に成形して構成されており、その所定位置（４か所）には、上下に貫通する小孔からなる取付孔１０１が形成されている。一部に下方向にコ字状に屈曲することで上面側に凹部１０３が形成されている。この凹部１０３は、下記するクリック用ボール２００とクリック用コイルバネ２１０を収納するためにケース１３０に設けられた収納部１４１によってケース１３０の下面側に突出している部分を避けるためのものである。
【００２２】
弾接バネ１２０は弾性金属板をリング状に形成し、１８０°対向する位置に一対の取付用基部１２１を設けて各取付用基部１２１内に小孔からなる挿入固定部１２３を設け、基部１２１と基部１２１の間を結ぶ一対の円弧状のアーム部１２５の中央に弾接部１２７を設け、また各アーム部１２５のそれぞれ根元部分を下方向に屈曲して構成されている。
【００２３】
ケース１３０は合成樹脂の成形品であって、筒状に形成された側壁部１３１と、側壁部１３１の中央の孔を塞ぐ略平板状の中央部１３３とを具備して構成されている。中央部１３３の中央には下記する軸付き回転体２５０の軸２５３を回動自在に挿通する軸支孔１３５が設けられている。軸支孔１３５の周囲は中央部１３３から上方向に向かって筒状に突出するガイド突部１３７となっている。ガイド突部１３７の外周側面の１８０°対向する位置には、上下方向に直線状に延びる一対のガイド凸条１３８（図５では一方のみ示している）が形成されている。またガイド突部１３７の根元の中央部１３３の外周を囲む１８０°対向する位置には、上下に貫通する円弧状の一対の挿通孔１４０が形成されている。中央部１３３の前記挿通孔１４０の周囲の面上には、同一円周上に、複数（４つ）の円弧状の貫通孔からなる挿通部１３９が形成されている。側壁部１３１の内周側には、クリック用ボール２００とクリック用コイルバネ２１０を収納する有底の穴からなる四角筒状の収納部１４１が形成されている。収納部１４１の外周壁の外側面の内、左右の対向する面は当接面１４２となっている。側壁部１３１の下端部分の外周からは、板状の底板部１４３が張り出しており、底板部１４３の下面からは複数（４つ）の小突起からなるケース固定部１４５が突出している。
【００２４】
弾発部材１６０はこの例ではコイルバネによって構成されている。またクリック用ボール２００は金属製の球体によって構成されている。
【００２５】
作動部材１７０は合成樹脂の成形品であり、略リング状で略平板状の本体部１７１と、本体部１７１の下面から下方向に突出する円筒状の筒部１７３と、筒部１７３の下端辺の１８０°対向する位置から下方向に突出する一対のアーム状の弾接体取付部１７５とを具備して構成されている。弾接体取付部１７５の下端辺からは係止取付部１７７が突出している。本体部１７１と筒部１７３の中央には、１つの円形の貫通孔からなるガイド孔１７９が形成されている。ガイド孔１７９には前記ケース１３０のガイド突部１３７が上下動自在に挿入される。ガイド孔１７９の内周面の１８０°対向する位置には、上下方向に向かう直線状の溝からなるガイド溝１８２が形成されている。ガイド溝１８２には、前記ケース１３０のガイド凸条１３８が上下動自在に挿入される。
【００２６】
本体部１７１の上面には、上方向に向かって突出する複数（４つ）の当接部１８０（１８０−１，１８０−２）が形成されている。各当接部１８０は、同一円周上に形成されている。当接部１８０の内、１８０°対向する位置にある一対の当接部（以下「第１当接部」という）１８０−１は、板状に突出しており、その上辺の、略三角形状に最も突出している弾接部１８１と弾接部１８１に連結されていて水平（本体部１７１の表面に平行）な支持部１８３と、支持部１８３に連結されていて弾接部１８１から離れるに従ってその高さを低くする傾斜部１８５とを具備している。一方、もう一対の当接部（以下「第２当接部」という）１８０−２は板状に突出しており、その上辺の、水平（本体部１７１の表面に平行）な支持部１９１と、支持部１９１に連結されていて支持部１９１から離れるに従ってその高さを低くする傾斜部１９３とを具備している。傾斜部１８５と傾斜部１９３は、同一の寸法形状である。また支持部１８３と支持部１９１は同一の高さ寸法である。
【００２７】
トルク切替レバー２２０は合成樹脂を略円板状に成形して構成されており、略円板状の本体部２２１の下面から略筒状の側壁部２３５を突出して構成されている。本体部２２１の中央部分は、その上面を円形に突出させた突出部２２３としている。また突出部２２３の下面側には円形の凹部からなる作動部材収納部２２５が形成されている。突出部２２３の中央には円形に貫通する挿通孔２２７が形成されている。また挿通孔２２７の周囲には円弧状に貫通する複数（４つ）の開口部が形成され、１８０°対向する一対の開口部は第１当接部挿通部（以下「開口部」という）２２９、１８０°対向するもう一対の開口部は第２当接部挿通部（以下「開口部」という）２３０となっている。開口部２２９は前記作動部材１７０の第１当接部１８０−１全体を挿入できる寸法に形成され、開口部２３０は第２当接部１８０−２全体を挿入できる寸法に形成されている。本体部２２１の外周の所定位置からは、略台形状のレバー２３１が突出している。本体部２２１の下面のレバー２３１を突出した根元部分（側壁部２３５を設けていない部分）には円周方向に向かって凹凸となっているクリック当接部２３３が形成されている。クリック当接部２３３は、円周方向に２つの凹部を有している。側壁部２３５の下端辺の所定位置からは、複数本（４本）の小突起からなる取付部２３７が突出している。これら取付部２３７は、前記切替体取付部材１００の各取付孔１０１に挿入される位置に設けられている。側壁部２３５の円周方向両端部分には、前記ケース１３０の一対の当接面１４２に当接するストッパー用の被当接面２３９が形成されている。
【００２８】
軸付き回転体２５０は合成樹脂の成形品であって、略円板状の本体部２５１の下面中央から円筒状の軸２５３を突出して構成されている。軸付き回転体２５０の中央にはこれを上下に貫通して下記する押釦つまみ２８０の軸部２８３を上下動自在に挿入（貫通）ガイドする挿通部２５５が設けられている。挿通部２５５の内周面には、上下方向に直線状に延びる回り止め用ガイド溝２５７が形成されている。本体部２５１下面の軸２５３の周囲には、これを囲むように、凹凸からなるクリック係合部２５９が形成されている。本体部２５１の外周部分には、下記する回転つまみ３００の各係合部３０５を係合する凹状の被係合部２６１が複数箇所に形成されている。軸２５３の下端辺からは複数（３つ）の取付係合部２６３が突出している。各取付係合部２６３は前記回転部材７０の各取付孔７３に挿入されてその先端が回転部材７０の下面から突出する寸法形状に形成されている。
【００２９】
押釦つまみ２８０は合成樹脂の成形品であって、略円板状のつまみ部２８１の下面中央から棒状の軸部２８３を突出して構成されている。軸部２８３の先端は前記押圧スイッチ２１を押圧する押圧部２８５となっている。つまみ部２８１の外周からはリング状のつば部２８７が突出している。軸部２８３のつまみ部２８１側の位置には、上下方向に直線状に延びる複数（４つ）の回り止め用ガイド突起２８９が形成されている。各回り止め用ガイド突起２８９は、前記軸付き回転体２５０の各回り止め用ガイド溝２５７に上下動自在に挿入される寸法形状となっている。
【００３０】
回転つまみ３００は合成樹脂の成形品であり、略円板状の上面部３０１と、略円筒状の側壁部３０３とを有している。上面部３０１中央には円形の開口３０４が形成され、また上面部３０１の下面（側壁部３０３の内周面）には突起状の複数の係合部３０５がリング状に配置されるように形成されている。
【００３１】
回転式スイッチ１を組み立てるには、回転つまみ３００の下方から押釦つまみ２８０と軸付き回転体２５０をこの順番に挿入する。押釦つまみ２８０を挿入したとき、回転つまみ３００の開口３０４内に、押釦つまみ２８０のつまみ部２８１が挿入されてその上面が露出するが、つば部２８７は回転つまみ３００の上面部３０１の下面の開口３０４の周囲に当接する。また軸付き回転体２５０を挿入したとき、押釦つまみ２８０の軸部２８３は軸付き回転体２５０の挿通部２５５内に挿通され、その際、軸部２８３の回り止め用ガイド突起２８９が挿通部２５５の回り止め用ガイド溝２５７に上下動自在に嵌合される。またこのとき、回転つまみ３００の各係合部３０５が軸付き回転体２５０の各被係合部２６１に挿入・係合される。そして軸付き回転体２５０の本体部２５１の下面に突出した各係合部３０５の下端部分（先端部分）を熱カシメし、上記３つの部材を一体化する。これによって、回転つまみ３００と押釦つまみ２８０と軸付き回転体２５０は回転軸Ｌ１（図２参照）を中心として一体に回転すると同時に、押釦つまみ２８０は回転つまみ３００の上面部３０１と軸付き回転体２５０の本体部２５１との間で所定寸法上下動自在となる。
【００３２】
次に、ケース１３０の中央部１３３の上面に弾発部材１６０を載置し、その際、弾発部材１６０の中央にケース１３０のガイド突部１３７を挿入する。次に、ケース１３０の上に作動部材１７０を載置する。その際、作動部材１７０の一対の弾接体取付部１７５をケース１３０の各挿通孔１４０に上下動自在に挿入する。次に、ケース１３０の収納部１４１内に、クリック用コイルバネ２１０とクリック用ボール２００を収納した状態で、その上にトルク切替レバー２２０を被せ、一方ケース１３０の中央部１３３の下面側に弾接バネ１２０と切替体取付部材１００を設置し、その際、作動部材１７０の各係止取付部１７７を弾接バネ１２０の各挿入固定部１２３に挿入し、且つトルク切替レバー２２０の各取付部２３７を切替体取付部材１００の各取付孔１０１に挿入し、各係止取付部１７７の先端と各取付部２３７の先端をそれぞれ熱カシメして、上記各部材を一体化する。このとき、ケース１３０のガイド突部１３７は、作動部材１７０のガイド孔１７９と、トルク切替レバー２２０の挿通孔２２７に挿通され、また作動部材１７０は弾発部材１６０によって上方向に弾発されることで押し上げられ、第１当接部１８０−１がトルク切替レバー２２０の開口部２２９内に挿入され、第２当接部１８０−２がトルク切替レバー２２０の開口部２３０内に挿入される。またクリック用ボール２００はクリック用コイルバネ２１０によって上方向に弾発され、トルク切替レバー２２０のクリック当接部２３３に弾接する。またこのとき、弾接バネ１２０の各弾接部１２７の下面にグリスを塗布しておく。
【００３３】
次に、前記一体化した回転つまみ３００と押釦つまみ２８０と軸付き回転体２５０とを、前記トルク切替レバー２２０の上面側に載置し、その際、軸付き回転体２５０の軸部２５３をケース１３０の軸支孔１３５内に回動自在に挿入する。
【００３４】
次に、前記ケース１３０の下面側に、補強板９０と回転部材７０とを設置し、その際、押釦つまみ２８０の軸部２８３の先端を、補強板９０の挿通孔９１と回転部材７０の挿通部７１に挿通し、同時に軸付き回転体２５０の各取付係合部２６３を、補強板９０の各取付孔９３と回転部材７０の各取付孔７３に挿通し、回転部材７０の下面に突出する各取付係合部２６３の先端部分を熱カシメする。このとき弾接バネ１２０の各弾接部１２７は補強板９０の上面の弾接面９５に所定の隙間を介して対向（又は弾接）する。
【００３５】
次に、回転部材７０の下面に摺動子６０を載置し、その際、回転部材７０の各摺動子取付部７５を摺動子６０の各固定部６９に挿入し、各摺動子取付部７５の先端を熱カシメする。次に、ケース１３０の下面に、第２フレキシブル回路基板５０と支持台４０と第１フレキシブル回路基板２０と取付板１０を重ねて設置し、その際、第２フレキシブル回路基板５０の各取付部５５と支持台４０の各取付部４３と第１フレキシブル回路基板２０の各取付部２５と取付板１０の各取付部１１に、ケース１３０の各ケース固定部１４５を挿入し、各ケース固定部１４５の先端を取付板１０の下面で熱カシメする。このとき、摺動子６０の各弾接部６７は、第２フレキシブル回路基板５０の摺接パターン５３に弾接する。またこのとき、押釦つまみ２８０の押圧部２８５は、反転板２３（即ち押圧スイッチ２１）の上面に当接している。これによって、回転式スイッチ１の組み立てが完了する。なお上記組立手順はその一例であり、他の各種異なる組立手順を用いて組み立てても良いことはいうまでもない。
【００３６】
次に、上記回転式スイッチ１の操作方法（動作）について説明する。ここではまず、図３に示すように、トルク切替レバー２２０の各開口２２９内に第１当接部１８０−１全体が収納され、同時に、各開口部２３０内に第２当接部１８０−２全体が収納されているとする。図８はこのときの開口部２２９、開口部２３０、第１当接部１８０−１、第２当接部１８０−２、クリック係合部２５９、弾接バネ１２０、補強板９０、回転部材７０の位置関係を示す概略展開断面図である。同図に示すように、各開口部２２９，２３０内に第１，第２当接部１８０−１，１８０−２全体がそれぞれ収納されているときは、第１当接部１８０−１の弾接部１８１はトルク切替レバー２２０の本体部２２１の上面から上方向に向かって突出している。従って、弾発部材１６０によって押し上げられている第１当接部１８０−１の弾接部１８１は、軸付き回転体２５０の下面に形成されたクリック係合部２５９に接触して係合する位置にある。一方このとき、作動部材１７０の弾接体取付部１７５の下端に取り付けた弾接バネ１２０の弾接部１２７は、補強板９０の弾接面９５から所定寸法だけ離れている。
【００３７】
そしてこの状態で、回転つまみ３００を回転すると、図２に示すように、回転つまみ３００と一体に押釦つまみ２８０と軸付き回転体２５０と補強板９０と回転部材７０と摺動子６０が、回転軸Ｌ１を中心として回転し、摺動子６０の弾接部６７が第２フレキシブル回路基板５０の摺接パターン５３上を摺動し、その出力信号が変化する。回転つまみ３００を回転すると、これと一体に軸付き回転体２５０の下面に形成したクリック係合部２５９も回転するので、図８に示すように、これに弾接している第１当接部１８０−１の弾接部１８１は、クリック係合部２５９の凹凸上を上下動しながら弾接し、これによって回転つまみ３００の回転にクリック感触を与える。回転つまみ３００を回転した際、弾接バネ１２０の各弾接部１２７は補強板９０の弾接面９５には当接しない。つまり、弾接部１２７と弾接面９５の離間距離は、弾接部１８１がクリック係合部２５９の凸の部分を乗り越える際も接触しない離間寸法に形成されている。
【００３８】
次に、トルク切替レバー２２０のレバー２３１を、真上から見て左方向に所定角度回動すると、トルク切替レバー２２０のクリック当接部２３３の一方の凹部に弾接していたクリック用ボール２００が、もう一方の凹部に凸部を乗り越えて係合する際に、クリック感触を生じる。なおトルク切替レバー２２０の回動範囲は、トルク切替レバー２２０の一対の被当接面２３９に、ケース１３０の一対の当接面１４２が当接する範囲であり、言い換えれば、クリック用ボール２００がクリック当接部２３３の一方の凹部からもう一方の凹部に移動する範囲である。
【００３９】
図７はトルク切替レバー２２０を上記のように回動したときの概略断面図（図２と同一部分の断面図）である。また図９はこのときの開口部２２９、開口部２３０、第１当接部１８０−１、第２当接部１８０−２、クリック係合部２５９、弾接バネ１２０、補強板９０、回転部材７０の位置関係を示す概略展開断面図である。トルク切替レバー２２０を回動したとき、作動部材１７０に対してトルク切替レバー２２０が、図８の矢印Ｃで示す方向に相対的に移動する。これによって、トルク切替レバー２２０に設けた開口部２２９の外周辺２２９ａ部分が第１当接部１８０−１の傾斜部１８５に接触し、同時にトルク切替レバー２２０に設けた開口部２３０の外周辺２３０ａ部分が第２当接部１８０−２の傾斜部１９３に接触し、第１，第２当接部１８０−１，１８０−２（即ち作動部材１７０全体）が真下方向に移動する。これによって、図９に示すように、第１当接部１８０−１の弾接部１８１が下降してトルク切替レバー２２０の開口部２２９内に入り込む。このときトルク切替レバー２２０の下面には、第１当接部１８０−１の支持部１８３と、第２当接部１８０−２の支持部１９１が弾接する。従って、この状態のときは、第１当接部１８０−１の弾接部１８１は、軸付き回転体２５０の本体部２５１下面に形成されたクリック係合部２５９から乖離し、接触（弾接）しない。一方このとき、作動部材１７０の弾接体取付部１７５の下端に取り付けた弾接バネ１２０の弾接部１２７は、下降することで、補強板９０の弾接面９５に弾接する。
【００４０】
そしてこの状態で、回転つまみ３００を回転すると、前述のように、摺動子６０の弾接部６７が第２フレキシブル回路基板５０の摺接パターン５３上を摺動し、その出力信号が変化する。回転つまみ３００を回転する際、これと一体に軸付き回転体２５０の下面に形成したクリック係合部２５９も回転するが、図９に示すように、このクリック係合部２５９に第１当接部１８０−１の弾接部１８１は弾接しないので、回転つまみ３００の回転にクリック感触は生じない。一方、この状態のときは、弾接バネ１２０の弾接部１２７が補強板９０の弾接面９５に弾接しているので、回転つまみ３００の回転の際、前記弾接によって、その回転に所手の回転トルクを生じる。
【００４１】
前記トルク切替レバー２２０を元の位置に回動して戻せば（図９に示す矢印Ｄ方向に移動）、開口部２２９の外周辺２２９ａ部分が再び第１当接部１８０−１の傾斜部１８５に接触しながらその上を摺動し、同時に開口部２３０の外周辺２３０ａ部分が再び第２当接部１８０−２の傾斜部１９３に接触しながらその上を摺動し、第１，第２当接部１８０−１，１８０−２（即ち作動部材１７０全体）が真上方向に移動し、これによって、第１当接部１８０−１の弾接部１８１が上昇してトルク切替レバー２２０の開口部２２９から上方に突出してゆき、図８に示す状態に戻る。これによって、第１当接部１８０−１の弾接部１８１は、軸付き回転体２５０のクリック係合部２５９に弾接し、再びクリック感触を生じる状態になり、同時に、弾接バネ１２０の各弾接部１２７は補強板９０の弾接面９５から所定距離離間し、再び回転つまみ３００の回転トルクが小さくなる状態になる。
【００４２】
つまり上記回転式スイッチ１によれば、トルク切替レバー２２０の回動位置に応じて、回転つまみ３００を回転した際にクリック感触が生じると同時にその回転トルクを小さくする状態と、回転つまみ３００を回転した際にクリック感触が生じないと同時にその回転トルクを大きくする状態とを、切り替えることができる。さらにいえば、クリック感触が生じるときは、そのことによって回転つまみ３００の回転トルクが大きくなるので、その分、弾接バネ１２０による回転トルクを小さくして過度に回転トルクが大きくならないようにし、クリック感触が生じないときは、そのことによって回転つまみ３００の回転トルクが小さくなるので、その分、弾接バネ１２０による回転トルクを大きくして回転トルクが適度に大きくなるようにしている。これによって、クリック感触が生じる時も生じない時も、適度な回転トルクが得られるようになる。
【００４３】
一方、押釦つまみ２８０のつまみ部２８１の上面を下方向に向けて押圧してこれを下降すれば、その押圧部２８５が反転板２３を押圧してこれを反転し、押圧スイッチ２１がオンする。前記押圧を解除すれば、反転板２３の弾性復帰力によって押釦つまみ２８０は元の位置に押し上げられ、押圧スイッチ２１はオフする。
【００４４】
なお、上記回転式スイッチ１において、さらに、切替体取付部材１００（例えば第２フレキシブル回路基板５０に対向する側の面）に別途摺動子を取り付けると共に、第２フレキシブル回路基板５０の上面に前記摺動子が摺接する摺接パターン（例えば位置検出用パターン）を設け、これによって切替体取付部材１００と一体に回転するトルク切替レバー２２０の位置（回動位置）を検出等できるように構成しても良い。
【００４５】
また上記回転式スイッチ１においては、回転つまみ３００を回転した際の、クリック感触の有無と回転トルクの増減とを連動させる構成としたが、クリック感触の有無は必須ではなく、クリック感触の有無にかかわらず、単に回転トルクの大きさを変更するように構成しても良い。この場合、例えば上記例では、第１，第２当接部１８０−１，１８０−２と開口部２２９，２３０の形状を全て、第２当接部１８０−２と開口部２３０の形状にし、またクリック係合部２５９を省略する等すれば良い。
【００４６】
また上記回転式スイッチ１においては、トルク切替レバー２２０を回動することで、弾接バネ１２０の弾接部１２７を弾接面９５に弾接する位置と乖離する位置とに変更するように構成したが（つまり、弾接バネ１２０によって回転トルクが生じる場合と生じない場合に変更するように構成したが）、トルク切替レバー２２０を回動することで、弾接バネ１２０の弾接部１２７を弾接面９５に強く弾接する位置と弱く弾接する位置とに変更するように構成してもよい（つまり、弾接バネ１２０による回転トルクが大きい場合と小さい場合に変更するように構成してもよい）。
【００４７】
また上記第１当接部１８０−１は、弾接部１８１と傾斜部１８５の間に支持部１８３を設けたが、支持部１８３を省略して、弾接部１８１と傾斜部１８５を直接接続しても良い。このとき傾斜部１８５の傾斜角度と、これに接続する弾接部１８１の傾斜面の傾斜角度を同一にしても良い。またこのとき、弾接部１８１の頂点部分を、支持部１８３の代りに用い、トルク切替レバー２２０を図９に示すように回動したときに、弾接部１８１の頂点部分がトルク切替レバー２２０の下面に弾接するように構成しても良い。また第２当接部１８０−２の支持部１９１を省略しても良い。
【００４８】
以上説明したように、回転式スイッチ１は、弾接部１２７を形成した弾接バネ１２０と、回転軸Ｌ１を中心に回転すると共に前記弾接バネ１２０の弾接部１２７に弾接することで回転トルクを付与する弾接面９５を設けた回転体（回転つまみ３００と軸付き回転体２５０と補強板９０と回転部材７０）と、前記回転体と一体に回転することで出力信号を変化させる検出手段（摺動子６０及び摺接パターン５３）と、前記回転軸Ｌ１を中心に回動可能であって回動位置に応じて前記弾接部１２７の位置を変更させるトルク切替レバー２２０とを具備し、前記トルク切替レバー２２０を回動することで、前記弾接部１２７が移動し、前記弾接面９５と前記弾接部１２７間の弾接状態を変更するように構成している。これによって、トルク切替レバー２２０を回動するだけで、回転体を回転する際の回転トルクの強弱を容易に変更することができる。
【００４９】
また上記回転式スイッチ１は、前記弾接バネ１２０と一体に上下動する作動部材１７０を有し、前記トルク切替レバー２２０には、このトルク切替レバー２２０を回転した際に、前記作動部材１７０に設けた当接部１８０（１８０−１，１８０−２）に干渉してこの作動部材１７０及び前記弾接バネ１２０を上下動させて、前記弾接面９５と前記弾接部１２７間の弾接状態を変更させる開口部２２９，２３０を設けている。作動部材１７０に設けた当接部１８０（１８０−１，１８０−２）と、トルク切替レバー２２０に設けた開口部２２９，２３０とを用いることで、トルク切替レバー２２０による弾接バネ１２０の上下動をスムーズに行わせることが可能になる。
【００５０】
また上記回転スイッチ１の回転体は、回転つまみ３００と、前記検出手段（摺動子６０）を取り付ける回転部材７０と、前記回転つまみ３００と回転部材７０間を接続する軸２５３とを有し、前記回転つまみ３００と回転部材７０間に、前記トルク切替レバー２２０と前記作動部材１７０とを設置し、前記トルク切替レバー２２０の開口部２２９，２３０に前記作動部材１７０の突起状の当接部１８０を挿入し、前記トルク切替レバー２２０を回動することで、このトルク切替レバー２２０の開口部２２９，２３０の外周辺２２９ａ，２３０ａ部分が前記作動部材１７０の当接部１８０に干渉して作動部材１７０を上下動させる構成となっている。これによって、トルク切替レバー２２０の回動動作を作動部材１７０の上下の動作にスムーズに変換することができる。
【００５１】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記実施形態では、回転式スイッチの他に押圧式スイッチも設置したが、押圧式スイッチは省略しても良い。また上記実施形態では、検出手段として回転式のスイッチを設置したが、その代りに回転式の可変抵抗器等、他の各種回転式電子部品用の検出手段としても良い。また上記実施形態では、回転体として、回転つまみと軸付き回転体と補強板と回転部材を設置したが、何れかを省略したり、またはさらに回転する部材を追加したりして回転体を構成しても良い。例えば補強板を省略する場合は、回転部材の上面を弾接面とすればよい。また上記実施形態では、トルク切替体として、レバーを有するトルク切替レバーを用いたが、本発明はこれに限られず、レバーを省略したり、さらにその他の各種形状としたりしても良い。また上記実施形態では、弾接バネの弾接部を、回転体の弾接面（回転軸に交差する面）に対して回転軸方向に向けて弾接したが、回転軸方向以外の方向から弾接面（例えば回転体の外周側面）に弾接させても良い。
【００５２】
また、上記記載及び各図で示した実施形態は、その目的及び構成等に矛盾がない限り、互いの記載内容を組み合わせることが可能である。また、上記記載及び各図の記載内容は、その一部であっても、それぞれ独立した実施形態になり得るものであり、本発明の実施形態は上記記載及び各図を組み合わせた一つの実施形態に限定されるものではない。
【符号の説明】
【００５３】
１  回転式スイッチ（回転式電子部品）
５３  摺接パターン（検出手段）
６０  摺動子（検出手段）
７０  回転部材（回転体）
９０  補強板（回転体）
９５  弾接面
１２０  弾接バネ（弾接体）
１２７  弾接部
１７０  作動部材
１８０  当接部
１８０−１  第１当接部
１８０−２  第２当接部
２２０  トルク切替レバー（トルク切替体）
２２９  開口部（当接部挿通部、第１当接部挿通部）
２２９ａ  外周辺
２３０  開口部（当接部挿通部、第２当接部挿通部）
２３０ａ  外周辺
２５０  軸付き回転体（回転体）
２５３  軸
２８０  押釦つまみ
３００  回転つまみ（回転体）
Ｌ１  回転軸
【図１】
0006643150.tif 000002
【図２】
0006643150.tif 000003
【図３】
0006643150.tif 000004
【図４】
0006643150.tif 000005
【図５】
0006643150.tif 000006
【図６】
0006643150.tif 000007
【図７】
0006643150.tif 000008
【図８】
0006643150.tif 000009
【図９】
0006643150.tif 000010